(57)【特許請求の範囲】
【請求項１】
基地局（１１０）への送信のためにバッファされたデータを有する移動端末（１４０）の量を、サービス品質クラス識別子ごとに推定する方法であって、前記基地局（１１０）によってサービスを提供される１またはそれ以上の移動端末（１４０）からバッファ状態レポートを受信すること（４１０）を含み、
前記受信されたバッファ状態レポートと、さらに前記基地局（１１０）によってサービスを提供される移動端末（１４０）に関連付けられる半永続的なスケジューリング権の許可とに基づいて、少なくとも１つのサービス品質クラス識別子についてのアクティブな移動端末（１４０）の概算量を算出すること（４６０）、をさらに含むことを特徴とする、
方法。
【請求項２】
前記アクティブな移動端末（１４０）の概算量を算出すること（４６０）は、第１のサービス品質クラス識別子トラフィッククラスのアクティブなデータベアラを有する移動端末（１４０）に対応する第１の概算量を算出することを含み、
前記方法は、さらに、第２のサービス品質クラス識別子トラフィッククラスのアクティブなデータベアラを有する移動端末（１４０）に対応する第２の概算量を算出することを含む、請求項１に記載の方法。
【請求項３】
前記各算出することは、さらに、半永続的なスケジューリングを使用する移動端末についてのすべてのデータ無線ベアラがアクティブであるとみなすことに基づく、請求項２に記載の方法。
【請求項４】
前記各算出することは、さらに、０よりも大きいバッファ推定を伴う論理チャネルグループに属する、移動端末のすべてのデータ無線ベアラがアクティブであるとみなすことに基づく、請求項２に記載の方法。
【請求項５】
前記各算出することは、さらに、半永続的なスケジューリングを使用する移動端末について、０よりも大きいバッファ推定を伴う論理チャネルグループに属するすべてのデータ無線ベアラがアクティブであるとみなすことに基づく、請求項２に記載の方法。
【請求項６】
前記アクティブな移動端末（１４０）の概算量を算出すること（４６０）は、さらに、１またはそれ以上の端末から受信されたデータの解析、１またはそれ以上の移動端末（１４０）についての再送信アクティビティの進行、または両方に基づく、請求項１〜５のいずれか１項に記載の方法。
【請求項７】
前記１またはそれ以上の端末から受信されたデータの解析は、所定の長さの期間にわたるアクティビティ履歴を評価することを含む、請求項６に記載の方法。
【請求項８】
前記各算出することは、さらに、論理チャネルグループに割り当てられていないデータ無線ベアラについて最近に受信されたデータがパディングを有さないすべてのデータ無線ベアラがアクティブであるとみなすことに基づく、請求項１〜７のいずれか１項に記載の方法。
【請求項９】
無線通信ネットワーク（１００）の基地局（１１０）であって、該基地局（１１０）によってサービスを提供される１またはそれ以上の移動端末（１４０）からバッファ状態レポートを受信するように設定された１またはそれ以上の処理回路（１３０）を含み、
前記１またはそれ以上の処理回路（１３０）は、さらに、前記受信されたバッファ状態レポートと、さらに前記基地局（１１０）によってサービスを提供される移動端末（１４０）に関連付けられる半永続的なスケジューリング権の許可とに基づいて、前記基地局（１１０）への送信のためにバッファされたデータを有するアクティブな移動端末（１４０）の概算量をサービス品質クラス識別子ごとに算出するように設定されることを特徴とする、基地局（１１０）。
【請求項１０】
前記１またはそれ以上の処理回路（１３０）は、第１のサービス品質クラス識別子トラフィッククラスのアクティブなデータベアラを有する移動端末（１４０）に対応する第１の概算量を算出することによって前記移動端末（１４０）の概算量を算出するように設定され、
前記１またはそれ以上の処理回路（１３０）は、さらに、第２のサービス品質クラス識別子トラフィッククラスのアクティブなデータベアラを有する移動端末（１４０）に対応する第２の概算量を算出するように設定される、請求項９に記載の基地局（１１０）。
【請求項１１】
前記各算出は、さらに、半永続的なスケジューリングを使用する移動端末についてのすべてのデータ無線ベアラがアクティブであるとみなすことに基づく、請求項１０に記載の基地局（１１０）。
【請求項１２】
前記各算出は、さらに、０よりも大きいバッファ推定を伴う論理チャネルグループに属する、移動端末のすべてのデータ無線ベアラがアクティブであるとみなすことに基づく、請求項１０に記載の基地局（１１０）。
【請求項１３】
前記各算出は、さらに、半永続的なスケジューリングを使用する移動端末について、０よりも大きいバッファ推定を伴う論理チャネルグループに属するすべてのデータ無線ベアラがアクティブであるとみなすことに基づく、請求項１０に記載の基地局（１１０）。
【請求項１４】
前記１またはそれ以上の処理回路（１３０）は、さらに、１またはそれ以上の端末から受信されたデータの解析、１またはそれ以上の移動端末（１４０）についての再送信アクティビティの進行、または両方に基づいて前記アクティブな移動端末（１４０）の前記概算量を算出するように設定される、請求項９〜１３のいずれか１項に記載の基地局（１１０）。
【請求項１５】
前記１またはそれ以上の端末から受信されたデータの解析は、所定の長さの期間にわたるアクティビティ履歴を評価することを含む、請求項１４に記載の基地局（１１０）。
【請求項１６】
前記各算出は、さらに、論理チャネルグループに割り当てられていないデータ無線ベアラについて最近に受信されたデータがパディングを有さないすべてのデータ無線ベアラがアクティブであるとみなすことに基づく、請求項９〜１５のいずれか１項に記載の基地局（１１０）。
【発明の詳細な説明】
【技術分野】
【０００１】
ここで説明される技術は、一般的には通信システムに関し、とりわけ無線ネットワークのアップリンクでの移動端末アクティビティの基地局における測定、特に３ＧＰＰ（3rd-Generation  Partnership  Project）によって規定されるＬＴＥ（Long  Term  Evolution）システムのためのものに関する。
【背景技術】
【０００２】
ＬＴＥシステムにおいて、スケジューラは、基地局にあり、移動端末への送信リソースの動的な割り当てを担う。一般的に、基地局は、１ミリ秒の送信時間間隔ごとにスケジューリングの決定をし、間隔ごとにスケジュールされた移動端末にスケジューリング情報を送る。このスケジューリング情報の送信に伴うシグナリングオーバヘッドを削減するために、ある状況、特に特定のサービス（例えばｖｏｉｃｅ−ｏｖｅｒ−ＩＰ、いわゆるＶＯＩＰ）に関するトラフィックが比較的予測可能であり、小さいペイロードの定期的な送信を特徴とする場合には、半永続的なスケジューリングが用いられる。ここで、半永続的スケジューリング権（semi-persistent  scheduling  grant）は、移動端末に、それがある量のアップリンクリソースのセットを割り振られ、この割り振りは端末が別途に通知されるまでｎ番目のサブフレームごとに適用されることを示す。
【０００３】
スケジューラは、そのスケジューリングタスクを効率的に実行するために、各移動端末の最新のバッファ状態についての情報、つまり各移動端末が送信のためにキューされたデータを有するか、もしそうであればどのぐらいの量か、を必要とする。ＬＴＥでは、バッファ状態レポートが、アップリンクトランスポートブロック送信に関連付けられた制御エレメントヘッダの一部として、スケジュールされた移動端末によって基地局に提供される。バッファ状態レポートは、移動端末におけるバッファされたデータの優先度の変更（例えば、現在バッファされているデータのどれよりも高い優先度を有するデータが送信バッファに到着した）、サービス提供セルの変動、および／または周期的なタイマの満了、を含む様々な理由のためにトリガされうる。さらに、アップリンクトランスポートブロックをスケジュールされたトランスポートブロックサイズに合わせるために要するパディングの量がバッファ状態レポートのサイズを超えた場合、最新のバッファ状態レポートは、他に利用されていないリソースを用いて送られる。
【０００４】
より正確で最新のバッファ状態情報は、より正確なスケジューリングの決定を可能にする。もちろん、移動端末によって基地局に提供されるバッファ状態レポートは、システムリソースをも消費する。それゆえ、ＬＴＥおよび他の無線ネットワークのために規格化された様々なバッファ状態レポート方式は、レポートそれ自体によってもたらされるオーバヘッドと、レポートによって容易になるリソースのより正確かつタイムリーなスケジューリングによって達成される効率の増大との間のバランスを反映する。
【０００５】
理想的には、所定の移動端末で利用可能な各論理チャネルについてのバッファ情報があることは有用であろう。もちろん、これはさらなるオーバヘッドを要するであろう。従って、ＬＴＥシステムでは、論理チャネルは論理チャネルグループ（ＬＣＧ：logical-channel  groups）にグループ化され、バッファ状態レポートはグループごとに実行される。それゆえ、バッファ状態レポートにおけるバッファサイズのフィールドは、所定のＬＣＧ（または長いバッファ状態レポートの場合には４つのＬＣＧ）におけるすべての論理チャネルで送信のためにバッファされたデータの量の合計を示す。
【０００６】
ＬＴＥ基地局は、それが扱う無線ベアラ（bearer）のそれぞれについて、必要なサービス品質（ＱｏＳ：quality-of-service）が満たされることを保証する役割をも担う。無線ベアラは、移動端末と公衆データネットワークすなわちＰＤＮ（public  data  network）のゲートウェイとの間の終端間ＩＰパケットフローに対応する。（ＬＴＥプロトコルの実装では、無線リンクコントロール層すなわちＲＬＣ（radio  link  control  layer）が、無線ベアラレベルでプロトコルスタックの上位レイヤにサービスを提供する。ＲＬＣは、論理チャネルのレベルで、メディアアクセス制御レイヤすなわちＭＡＣ（medium  access  control  layer）からサービスを受信する。それゆえ、各論理チャネルは特定の無線ベアラに対応し、それがさらに終端間ＩＰフローに１対１の対応を有する。）各ベアラは、ＱｏＳクラス識別子すなわちＱＣＩ（QoS  class  identifier）によって識別される、定義されたＱｏＳを有する。所定のベアラについてのＱＣＩラベルは、優先度、パケット遅延バジェット、許容パケットロス率、その他について、それが基地局にどのように扱われるかを決定する。ＬＴＥは、１０の異なるＱＣＩを規定し、そのそれぞれが、通話音声および通話映像からリアルタイムゲームおよびインターネットブラウジングまでにわたる広範な種類のサービスの１つに適合する。
【０００７】
ネットワークのリアルタイムのパフォーマンスを評価するために、ロードバランシングその他のＬＴＥネットワークのチューニングをサポートするために、３ＧＰＰは、随時なされうる数多くのパフォーマンス測定を規定した。すべてのＬＴＥ基地局は、例えば物理リソースブロック（ＰＲＢ：physical  resource  block）使用、パケット遅延、およびパケットロスの測定を含むこれらの測定をすることが可能でなければならない。これらの測定によって、ネットワークオペレータは、随時システムのスループットおよびパフォーマンスの詳細な像を得ることができる。
【０００８】
３ＧＰＰによって規定された要求される測定の１つは、ＱＣＩごとのアクティブＵＥの数の評価である。（ＵＥ（user  equipment）すなわちユーザ装置は、移動装置を指す３ＧＰＰ用語である。本願では、ＵＥ、移動端末、および移動局は、別に文脈で明確に示されない限り互換的である。）ＱＣＩごとのアクティブＵＥの数測定は、システムで同じリソースを共有するユーザの数の概算を提供する。この概算は、システムのスループットおよびパフォーマンスの詳細な状態を提供するのに随時用いられうる。これらの測定についての規格の初期のバージョンでは、ＱＣＩごとのアクティブＵＥの数は、アップリンク送信のために現在バッファされたデータがある移動局の数に関連すると説明されていた。この量は、無線トラフィックについてそれぞれのサービス品質（ＱｏＳ）分類ごとにそれぞれ測定される。より具体的には、ＱＣＩごとのアクティブＵＥの数は、以下のように定義される。
【０００９】
【数１】
0005432290.tif 000002
【００１０】
ここで、Ｍ（Ｔ，ｑｃｉ，ｐ）はＱｏＳクラス識別子ごとのアップリンクでアクティブなＵＥの平均数であり、Ｎ（ｉ，ｑｃｉ）はサンプリングインスタンスｉでＱＣＩ＝ｑｃｉのトラフィッククラスを有するデータ無線ベアラ（ＤＲＢ：data  radio  bearer）についてバッファされたデータがあるＵＥの数であり、ｐはサンプリング期間の長さであり、Ｉ（Ｔ，ｐ）は時間Ｔの間に発生するサンプリング数の合計である。
【発明の概要】
【発明が解決しようとする課題】
【００１１】
３ＧＰＰ仕様書は、この量が、バッファ状態レポート、受信されたデータの解析、および目下のＨＡＲＱ送信の進行に基づくと予想されるバッファされたデータがあるＵＥの数を表す概算に過ぎないことを認めている。結局のところ、仕様書は、サンプリングが発生したときにＣＱＩが決定できない場合には、データの受信が成功した後にＣＱＩが決定されることが期待されると注釈している。それゆえ、厳密な推定プロセスが定義されていないため、現行の定義は現実の実装の詳細を未規定のままにしている。さらに、いくつかのケースにおいてデータの受信が成功した後にだけＱＣＩを決定する必要があることは、将来のデータ受信と現在のサンプリングインスタンスとの間に複雑な相互作用を起こす  実際には、まだ受信されていないデータが現在のアクティブなＵＥの数の推定の影響を受けうる。
【課題を解決するための手段】
【００１２】
以下で説明されるのは、無線通信システムのアップリンクでアクティブなユーザ装置の平均数を、ＱｏＳクラスごとを基礎にして測定する、改善された方法、装置、およびシステムである。本発明のいくつかの実施形態によれば、ＱＣＩごとのアクティブなＵＥの数は、より予測可能な結果を提供する簡潔かつ確定的な（determinable）やり方で特定および測定されうる。本発明のいくつかの実施形態において、ＱＣＩごとのアクティブなＵＥの数は、それぞれのサンプリングインスタントにおいて、所定の移動端末についてアップリンク（ＵＬ：uplink）リソースを許可する現在の需要に基づいて決定される。これらの実施形態のいくつかでは、リソースを許可する需要を決定すること（つまり、移動端末がデータを送信するためにリソースを許可されるべきかどうか）は、少なくともバッファ状態レポート（ＢＳＲ：buffer  status  report）に基づく。ＬＴＥ基地局（ｅＮｏｄｅＢ  として知られる）は、アクティブなＵＥの数を決定するときに、所定のＢＳＲの受信の後の送信のために予めスケジュールされた許可も考慮に入れてもよい。もちろん、上述のように、ＢＳＲの後に実際に受信されたデータも考慮されてもよい。
【００１３】
発明のいくつかの実施形態に係る例示的な方法において、基地局への送信のためにバッファされたデータを有する移動端末の数は、一つには、基地局によってサービスを提供される１またはそれ以上の移動端末から受信されたバッファ状態レポートに基づいて推定される。この例示的な方法では、アクティブな移動端末の概算量は、受信されたバッファ状態レポートと、さらに半永続的なスケジューリング権が許可された移動端末の数とに基づいて算出される。
【００１４】
いくつかの実施形態において、アクティブな移動端末の概算量はトラフィッククラスごとのベースで推定され、この場合、技術は、第１のトラフィッククラスのアクティブなデータベアラを有する移動端末に対応する第１の概算量を算出することと、受信されたバッファ状態レポートおよび半永続的なスケジューリング権が許可された移動端末の数に基づいて第２のトラフィッククラスのアクティブなデータベアラを有する移動端末に対応する第２の概算量を算出することとを含む。これらの実施形態のいくつかでは、各算出することは、所定の移動端末についてのすべてのデータ無線ベアラが移動端末についての半永続的なスケジューリングの使用においてアクティブであるとみなすことに基づく。他では、各算出することは、所定の移動端末について、０よりも大きいバッファ推定を伴う論理チャネルグループに属するすべてのデータ無線ベアラがアクティブであるとみなすことに基づく。さらに他では、各算出することは、所定の移動端末について、０よりも大きいバッファ推定を伴う論理チャネルグループに属するすべてのデータ無線ベアラが移動端末についての半永続的なスケジューリングの使用においてアクティブであるとみなすことに基づく。
【００１５】
上記で要約された変形例のすべてを含む様々な実施形態において、アクティブな移動端末の概算量を算出することは、さらに、１またはそれ以上の端末から受信されたデータの解析、１またはそれ以上の移動端末についての再送信アクティビティの進行、または両方に基づく。これらの実施形態のいくつかでは、１またはそれ以上の端末から受信されたデータの解析は、所定の長さの期間にわたるアクティビティ履歴を評価することを含む。上記で要約された変形例のすべてを含むいくつかの実施形態では、各算出することは、さらに、論理チャネルグループに割り当てられていないデータ無線ベアラについて最近に受信されたデータがパディングを有さないすべてのデータ無線ベアラがアクティブであるとみなすことに基づく。
【００１６】
上記で要約され以下で詳述される技術のいずれもが、無線ネットワークの基地局で実装されうる。従って、上記で要約された方法の１またはそれ以上を実行するように設定された基地局が考慮され、ここで説明される。もちろん、本発明は、発明の必須の特徴から離れることなく、ここで明らかにされたもの以外にも他のやり方で実施されうる。これらの実施形態は、すべての面で概略的であって限定的ではないと考えられるべきであり、添付の請求の範囲の中にあるすべての変更が、そこに包含されることを意図されている。
【図面の簡単な説明】
【００１７】
【図１】本発明のいくつかの実施形態に係る無線ネットワークの概略図である。
【図２】基地局でのバッファ状態レポートの受信および１つの移動端末についてのアップリンクデータ送信を示す例示的な測定タイミング図である。
【図３】２つの移動端末からのアップリンクデータの受信を示す別の例示的な測定タイミング図である。
【図４】本発明のいくつかの実施形態においてアクティブな移動端末の数を推定する例示的な方法を示す処理フロー図である。
【発明を実施するための形態】
【００１８】
本発明の側面は、ここでは３ＧＰＰ（3rd-Generation  Partnership  Project）によって規定されるＬＴＥ（Long  Term  Evolution）システムのコンテクストで説明されるが、そこに開示される本発明技術が他の無線システムで用いられうることを当業者は理解するであろう。それゆえ、本開示を通じて３ＧＰＰ  ＬＴＥ仕様書の用語が用いられるが、この用語は本発明の範囲を上記のシステムだけに限定するものとみなされるべきではない。ＷＣＤＭＡ（Wideband  Code-Division  Multiple  Access）システム、ＷｉＭＡＸシステム、ＵＭＢ（Ultra  Mobile  Broadband）システム、およびＧＳＭシステムを含む他の無線システムもまた、以下で説明される技術を利用することに適合しうる。全くもって、基地局、ｅＮｏｄｅＢ、移動端末、およびＵＥのような用語の使用は限定的な意味ではなく、ここでのそれらの使用が本発明を３ＧＰＰ  ＬＴＥシステムの特定の階層的アーキテクチャを採用するシステムにだけ適用可能であることを必ずしも意味しないと考えられるべきであることに留意するべきである。
【００１９】
図１は、基地局１１０といくつかの移動端末１４０とを含む、無線通信ネットワーク１００の一実施形態の簡略化されたブロック図である。基地局１１０は無線回路１２０および処理回路１３０を含み、一方、処理回路１３０は、他のものとともに、少なくともスケジューラ機能１３２、レイヤ２測定機能１３４、およびメモリ１３６を含む。いくつかの実施形態において、処理回路１３０は、１またはいくつかのマイクロプロセッサおよび／またはデジタルシグナルプロセッサ（ＤＳＰ：digital  signal  processor）を含み、メモリ１３６に格納されるプログラムコードとともに設定される。メモリ１３６は、いくつかの実施形態では、ＲＯＭ（read-only  memory）、ＲＡＭ（random  access  memory）、フラッシュ、光学および／または磁気の大容量記憶装置などを含む数種類のメモリを含みうる。基地局で用いられる処理回路および無線回路の基本的な設計は当業者にはよく知られており、ここでは本発明の十分な理解に必要とされる範囲を超えて詳細には説明されない。
【００２０】
本発明のいくつかの実施形態において、図１の基地局１１０、また特に処理回路１３０は、アクティブな移動端末、すなわち基地局に送信するためにバッファされたデータを有する移動端末の数を、（図１に示すように）移動端末１４０から受信されるバッファ状態レポートに基づいて、またさらに半永続的なスケジューリング権がスケジューラ１３２によって許可された移動端末の数に基づいて推定するように設定される。いくつかの実施形態において、アクティブな移動端末の量は、異なるサービス品質レベルに対応するいくつかのトラフィッククラスのそれぞれについて評価される。
【００２１】
上記のように、ＱＣＩごとにＵＬでアクティブなＵＥの数の測定についての３ＧＰＰの現在の定義は、データの受信が成功した後でＱＣＩを決定することを要求している点で問題がある。この問題は、４つのサービス品質クラス識別子（ＱＣＩ）が１つのローカルチャネルグループにマッピングされたシナリオを示す図２の例示的な測定タイミング図に見ることができる。バッファ状態レポート（ＢＳＲ）の到着は塗りつぶされたブロック２１０で示され、サンプリングインスタンス２２０−Ａおよび２２０−Ｂは破線で示され、データの受信は対応するＱＣＩのラベルとともに矢印で示されている。図示された状況において、どのＱＣＩがアクティブかを決定するのにバッファ状態レポートを用いることはできず、受信されたデータをその事実の後に（現在の３ＧＰＰの測定の定義に示されるように）見ることが必要である。
【００２２】
図示されるように、ＢＳＲ２１０−Ａは、サンプリングインスタンス２２０−Ａでのスキャン１の前に受信される。ＢＳＲ２１０−Ａは、ｂ１バイトのデータが所定の論理チャネルグループ（ＬＣＧ）についてバッファされていることを示す。最初のデータの受信は、サンプリングインスタンス２２０−Ａのすぐ後の、トラフィッククラスＱＣＩ＝１を有するデータ無線ベアラについてのものであり、ＢＳＲ２１０−Ａが到着した後にこの論理チャネルグループ（ＬＣＧ）から到着する最初のデータセットを表す。ＢＳＲ２１０−Ａは、全体としてＬＣＧについてデータがペンディングしていることを示すが、データがペンディングしているＱＣＩを特定しない。結果として、移動端末がいずれかの所定のＱＣＩについてアクティブであるとみなされるかを決定するために、アクティブなＱＣＩが推定される。
【００２３】
図から得られる後知恵によれば、明らかにＱＣＩ＝１はサンプリングインスタンス２２０−Ａについてアクティブであるとみなされるべきである  ＢＳＲ２１０−Ａによって示されるｂ１のバッファされたデータバイトのうちの少なくともいくらかは、ＱＣＩ＝１について最初に送信されたデータに対応する。ＢＳＲ２１０−Ａの内容と、ＱＣＩ＝２を有するデータ無線ベアラについてのデータの受信が始まる前にＱＣＩ＝１について受信されたデータの量とによって、ＱＣＩ＝２も、サンプリングインスタンス２２０−Ａで同様にアクティブであったとみなされうる。（例えば、ＱＣＩ＝２についてのデータが受信される前にはＱＣＩ＝１についてｂ１バイトのうちのわずかな部分が受信されるだけである場合、ＢＳＲ２１０−Ａによって示されるｂ１のバッファされたデータバイトのうちの少なくともいくらかは、ＱＣＩ＝２に対応していそうである。）しかしながら、ＱＣＩ＝３およびＱＣＩ＝４についての状況は、あまり明らかではない。ＱＣＩ＝３およびＱＣＩ＝４について、スキャニングインスタンス２２０−Ａの時点でデータがバッファにあった（が、論理チャネル優先度ならびにＱＣＩ＝１および／またはＱＣＩ＝２についての新たなデータの到着のためにアップリンク送信に含まれなかった）か、データが送信される直前（かつサンプリングインスタンス２２０−Ａの後）に基地局に到着したかを判定することは実際のところ可能ではないであろう。
【００２４】
現在の３ＧＰＰアプローチのもとでの測定処理は、ポストサンプリング発生の扱いの要求のために、かように複雑になっている。さらに、どのポストサンプリングイベントが考慮されるべきかを定義するタイムウインドウが定義されていない。それゆえ、図２に示すシナリオのように、異なる装置ベンダによる異なる実装は、異なるレポート結果をもたらし、規格化された測定をすることのそもそもの便益を減少させる。そこで、現在の定義を、簡略化されたより的確な定義で置き換え、異なるベンダの間で一様なレポートをもたらすことは有益である。
【００２５】
本発明のいくつかの実施形態によれば、ＱＣＩごとのアクティブなＵＥの数は、より予測可能な結果を提供する簡単かつ確定的なやり方で特定および測定されうる。本発明のいくつかの実施形態において、ＱＣＩごとのアクティブなＵＥの数は、所定の移動端末について現在アップリンク（ＵＬ）リソースを許可する需要に基づいてそれぞれのサンプリングインスタントで決定される。これらの実施形態のうちのいくつかでは、リソースを許可する需要（すなわち、移動端末がデータを送信するためにリソースを許可されるべきか）を判定することは、最後に受信されたバッファ状態レポート（ＢＳＲ）に基づくものであってもよい。ｅＮｏｄｅＢは、アクティブなＵＥの数を決定するときに、所定のＢＳＲの受信の後に送信のために予めスケジュールされた許可を考慮に入れてもよい。もちろん、上述のように、ＢＳＲの後に実際に受信されたデータも考慮されうる。
【００２６】
いくつかの実施形態で、ｅＮｏｄｅＢは、ＱＣＩごとのアクティブなＵＥの数を決定するときに、半永続的なスケジューリングのために許可を用いる需要を考慮に入れてもよい。これらの実施形態のうちのいくつかによれば、所定の移動端末についてアクティブなすべてのベアラが、その移動端末についての半永続的なスケジューリングの使用においてアクティブであるとみなされる。他のものでは、０よりも大きい最新のバッファ推定を有するＬＣＧ（論理チャネルグループ）に属するすべてのベアラが、半永続的なスケジューリングの使用においてアクティブであるとみなされる。
【００２７】
いくつかの実施形態において、ＢＳＲレポートはＬＣＧレベルであってＱＣＩの間を区別しないため、ｅＮｏｄｅＢは論理チャネルグループ内のすべてのＱＣＩが同じ需要を有するとみなすことで需要の計算を単純にしてもよい。さらに、いくつかの実施形態において、ｅＮｏｄｅＢは、ＬＣＧに割り当てられていない各データ無線ベアラ（ＤＲＢ）について最後に受信されたデータにパディングがなければ、そのＤＲＢがアクティブであるとみなしてもよい。
【００２８】
上記の変形例および可能性に留意して、当業者は、所定のサンプリング発生時にＱＣＩ＝ｑｃｉについてアクティブであるＵＥの数を測定する例示的な手続きが、以下の２つの部分の定義に従って動作しうることを理解するであろう。
【００２９】
ＵＥは、
ＵＥについてのＵＬバッファ推定＞０である（ＬＣＧに割り当てられていないＤＲＢについては、最後に受信されたデータがパディングなしで受信された）、または
ＵＬが半永続的なスケジューリングのためのＵＬ権である
場合に、サンプリング発生時にアクティブであるとみなされる。
【００３０】
ＵＥは、
ＵＥがサンプリング発生時にアクティブであるとみなされる、かつ
ＬＣＧにおいてＱＣＩ＝ｑｃｉである少なくとも１つのＤＲＢについて、ＬＣＧについてのＵＬバッファ推定＞０である（ＬＣＧに割り当てられないＤＲＢについては、最後に受信されたデータがパディングなしで受信された）
場合に、サンプリング発生時にＱＣＩ＝ｑｃｉについてＵＬでアクティブであるとみなされる。
【００３１】
上記の手続きに従い、図３におけるシナリオによれば、サンプリングインスタンス３２０−Ａでは、サンプリングインスタンス３２０−Ａの直近のＢＳＲがＬＣＧ１についてバッファされたデータを示していたとすると、ＵＥ１は、ｑｃｉ＝ｙについてと同様にｑｃｉ＝ｘについてもアクティブであるとみなされるであろう。同様に、サンプリングインスタンス３２０−Ｂでは、ＵＥ１はｑｃｉ＝ｘおよびｑｃｉ＝ｙについてアクティブであるとみなされ、一方ＵＥ２およびＵＥ３はそれぞれｑｃｉ＝ｘについてアクティブであるとみなされるであろう。
【００３２】
発明のいくつかの実施形態において、ＱＣＩごとのアクティブなＵＥの数は、少なくともその一部が、期間ｐの履歴情報に基づいて決定される。例えば、それぞれのサンプリングインスタントについて、期間ｐの間のアクティビティが判定され、その期間の間にアクティビティを伴う移動端末がアクティブであるとみなされる。期間ｐは、必ずしもサンプリングインスタントに直接に結びつけられなくてもよい。
【００３３】
履歴ベースの測定の定義の一例として、いくつかの実施形態ではアクティブなＵＥの数が  所定のサンプリング発生時の前の１００ミリ秒にＱＣＩ＝ｑｃｉについてデータの受信が成功したＵＥの数  であると判定されうる。期間ｐは、もちろん１００ミリ秒とは異なっていてもよい。しかしながら、１００ミリ秒という値は、それが３ＧＰＰ仕様書によって定義されるＳＡＥ（System  Architecture  Evolution）ベアラについてのセッション内アクティビティ時間に対応するため、特に適当である。このアプローチによれば、再び図３のシナリオによって、サンプリングインスタンス３２０−Ａでは、ＵＥ１はｑｃｉ＝ｘおよびｑｃｉ＝ｙについてアクティブであるとみなされ、一方ＵＥ２は（サンプリングインスタンスから振り返ってみれば）ｑｃｉ＝ｘについてアクティブであるとみなされるであろう。サンプリングインスタンス３２０−Ｂでは、ＵＥ１がｑｃｉ＝ｘについてアクティブであるとみなされるであろう。
【００３４】
発明のさらに別の実施形態では、ＱＣＩごとのアクティブなＵＥの数は、論理チャネルグループレベルで、期間ｐの履歴情報に基づいて決定される。それぞれのサンプリングインスタントで、期間ｐの間のアクティビティが判定され、その期間の間に論理チャネルグループについてのアクティビティを伴う移動端末がアクティブであるとみなされる。ここでもまた、期間ｐは、必ずしもサンプリング時間には結びつけられない。論理チャネルグループレベルでの履歴ベースの測定の定義の一例として、所定のＱＣＩについてアクティブなＵＥの数は、  論理チャネルグループに属するＱＣＩ＝ｑｃｉの論理チャネルについてデータの受信が成功したＵＥの数  として判定されうる。このアプローチおよび図３のシナリオによれば、サンプリングインスタンス３２０−Ａでは、ＵＥ１はｑｃｉ＝ｘおよびｑｃｉ＝ｙについてアクティブであるとみなされ、ＵＥ２はｑｃｉ＝ｘについてアクティブであるとみなされるであろう。一方、サンプリングインスタンス３２０−Ｂでは、ＵＥ１がｑｃｉ＝ｘおよびｑｃｉ＝ｙについてアクティブであるとみなされるであろう。
【００３５】
上述の技術の観点から、当業者は、図４が、基地局に送信するためにバッファされたデータを有する移動端末の量、すなわち所定の評価時間において  アクティブである  とみなされる移動端末の数を推定する例示的な手続きを示す処理フロー図であることを理解するであろう。いくつかの実施形態において、この処理は基地局または関連するネットワークエンティティにおいて実装される。またいくつかの実施形態において、この実施形態は品質クラス識別子ごとの（per-quality-class-indicator）レベルで実行されうる。
【００３６】
図示された処理は、１またはそれ以上の移動端末からのバッファ状態レポートの受信および解析のブロック４１０，４２０で始まる。上述のように、バッファ状態レポートは、移動端末について１またはそれ以上の論理チャネルグループのそれぞれでバッファされたデータの量を示すが、バッファされたデータに対応するＱＣＩの詳細情報は提供しないであろう。
【００３７】
ブロック４３０で、基地局によってサービスを提供される移動端末に関連付けられた半永続的な許可が解析される。上記で提案されたように、所定の移動端末および／または移動端末についての論理チャネルグループは、その移動端末および／または論理チャネルグループに半永続的な許可が関連付けられていれば、アクティブであるとみなされるであろう。いくつかの実施形態では、かかる論理チャネルグループに対応するＱＣＩを有するすべてのデータ無線ベアラが、半永続的な許可の使用に伴ってアクティブになるとみなされる。他では、移動端末のためのすべてのデータ無線ベアラが、移動端末についての半永続的な許可の使用に伴ってアクティブになるとみなされる。
【００３８】
オプションとして、ブロック４４０に示されるように受信されたデータ履歴が解析され、結果は所定のサンプリングインスタンスでアクティブな移動端末の推定に用いられる。いくつかの実施形態において、履歴は所定の長さｐの期間について解析され、期間がサンプリングインスタンスそれ自体を含んでもよく含まなくてもよい。いくつかの実施形態では、ブロック４５０に示されるように、１またはそれ以上の移動端末についての再送信状態が解析され、アクティブな移動端末の推定において考慮されうる。これらの実施形態では、ペンディングしている再送信処理に関する移動端末および／または論理チャネルグループが、アクティブであるとみなされ、アクティブな移動端末の数の概算に含まれる。
【００３９】
最後に、ブロック４６０に示されるように、移動端末から受信されたバッファ状態レポートおよび半永続的な許可情報に少なくとも基づいて、所定のサンプリングインスタンスについてアクティブな端末の概算が算出される。
【００４０】
当業者は、上述の技術、および、特に図４で概略的に示された方法が、図１の基地局１１０のような基地局において実装されうることを理解するであろう。もちろん、当業者は、ＬＴＥ  ｅＮｏｄｅＢまたは他の基地局の詳細を理解しているが、ここで説明された測定技術の１またはそれ以上を実行するように設定された基地局は、ＬＴＥ仕様書（または他のシステム規格）に従ってＵＥ１４０を含む１またはそれ以上のＵＥと通信するように設定された無線回路１２０、およびこれもＬＴＥ仕様書に従ってＵＥと通信し３ＧＰＰネットワークをサポートするように設定された処理回路１３０を含む、図１に示される基本的な要素を含みうる。本発明の実施形態において、処理回路１３０はスケジューリング機能１３２とレイヤ２測定機能１３４とを含み、ＱＣＩごとにアップリンクでアクティブなＵＥの平均数を決定するここで説明された測定技術の１またはそれ以上を実行するように設定される。当業者は、一般的には処理回路１３０、特にはスケジューラ１３２およびレイヤ２測定１３４が、必要に応じて、ＬＴＥ通信プロトコルおよび説明された測定技術を実行するために、１またはそれ以上のメモリ１３６に格納された適切なソフトウェアによって設定される１またはいくつかのマイクロプロセッサ、デジタルシグナルプロセッサ、専用のデジタルハードウェアその他、および／またはファームウェアを用いて実装されうることを理解するであろう。
【００４１】
当業者は、上記のいくつかの実施形態の詳細の変形が、他でも用いられうることを理解するであろう。それゆえ、別々の実施形態として上述された技術のいくつかの全部または部分は、本発明のいくつかの実施形態においては組み合わされてもよい。もちろん、ここでの説明はＬＴＥ基地局における測定に注目したものであったが、当業者は、所定のサービス品質クラスについてアップリンクでアクティブな移動端末の平均数の推定が必要とされる他のシステムでも、説明された技術が適用されうることを理解するであろう。従って、アップリンクこれらの測定を実行するこれまでの様々な技術の説明は、説明および例示の目的のためにされたものであり、当業者は、上記の方法、装置、およびシステムがここで詳細に説明された以外にも他のシステムに好適に適用されうることを理解するであろう。
【００４２】
それゆえ、本発明は、発明の必須の特徴から離れることなく、ここで明らかにされたもの以外にも他のやり方で実施されうる。従って、これらの実施形態は、すべての面で概略的であって限定的ではないと考えられるべきであり、添付の請求の範囲の意味するところおよび均等の範囲の中にあるすべての変更が、そこに包含されることを意図されている。
【図１】
0005432290.tif 000003
【図２】
0005432290.tif 000004
【図３】
0005432290.tif 000005
【図４】
0005432290.tif 000006